(57)【要約】【課題】  コストの増大を招くことなく、予め登録した操作を登録した時刻に正確に実行することができる投写型映像表示装置を提供する。【解決手段】  ネットワーク接続機能を有した投写型映像表示装置において、リアルタイムクロック機能を有すると共に、ネットワークを介してＮＴＰサーバーより時刻を取得し、取得した時刻を前記リアルタイムクロックに設定する時刻設定手段と、予め少なくとも１つの時刻とその時刻に対応した操作が登録され、前記リアルタイムクロックにより計時された時刻と前記登録された時刻が一致した際に当該時刻に対応して登録された操作を実行する制御手段とを備えた。【選択図】        図４
2009098794.tif 000002
【特許請求の範囲】
【請求項１】
ネットワーク接続機能を有した投写型映像表示装置において、
リアルタイムクロック機能を有すると共に、ネットワークを介してＮＴＰサーバーより時刻を取得し、取得した時刻を前記リアルタイムクロックに設定する時刻設定手段と、予め少なくとも１つの時刻とその時刻に対応した操作が登録され、前記リアルタイムクロックにより計時された時刻と前記登録された時刻が一致した際に当該時刻に対応して登録された操作を実行する制御手段とを備えたことを特徴とする投写型映像表示装置。
【請求項２】
前記時刻設定手段は当該装置の電源投入直後に実行されることを特徴とする請求項１記載の投写型映像表示装置。
【請求項３】
前記時刻とその時刻に対応した操作をネットワークを介して登録可能とするＷＥＢサーバーを実装したことを特徴とする請求項１又は請求項２記載の投写型映像表示装置。
【発明の詳細な説明】
【技術分野】
【０００１】
本願発明は、ネットワーク接続機能を有した液晶プロジェクタ等の投写型映像表示装置に関するものである。
【背景技術】
【０００２】
この種の従来技術として、例えば特許文献１には、リモート操作により広告の配信時間の特定をする場合、広告を配信するデータサーバーと表示端末とをネットワークを介して接続し、データサーバーより定められた時間になると表示端末にアクセスし、表示端末よりプロジェクタを操作する技術が開示されている。
【０００３】
また、上記特許文献１には、ネットワーク混雑時による表示の遅延を防ぐために、予め一定期間分の表示予定データを受信し蓄積する機能を有し、具体的には表示開始時間前にデータサーバーとの回線の接続を行い、表示予定データ、スケジュールデータを受信し、ローカルのディレクトリに格納するデータ受信機能を備えた表示端末を有することが記載されている。
【特許文献１】特開２００２−１５２６４号公報
【発明の開示】
【発明が解決しようとする課題】
【０００４】
しかしながら、予め登録した時刻に投写型映像表示装置（プロジェクタ）による投写映像のＯＮ／ＯＦＦなどを行いたい場合、上記特許文献１に示されたような技術を適用すると、大掛かりなシステムが必要となるため、コストが増大するなどの問題が生じる。
【０００５】
これに対して、投写型映像表示装置に予め複数の時刻と各時刻に対応した操作を登録することも考えられるが、その場合、投写型映像表示装置に、時刻を計時するリアルタイムクロックを実装する必要があるが、その正確さが要求される。
【０００６】
そこで、本願発明はこのような課題を解決するためになされたものであり、コストの増大を招くことなく、予め登録した操作を登録した時刻に正確に実行することができる投写型映像表示装置を提供することを目的とするものである。
【課題を解決するための手段】
【０００７】
上記のような目的を達成するために、本願の請求項１に係る発明は、ネットワーク接続機能を有した投写型映像表示装置において、リアルタイムクロック機能を有すると共に、ネットワークを介してＮＴＰサーバーより時刻を取得し、取得した時刻を前記リアルタイムクロックに設定する時刻設定手段と、予め少なくとも１つの時刻とその時刻に対応した操作が登録され、前記リアルタイムクロックにより計時された時刻と前記登録された時刻が一致した際に当該時刻に対応して登録された操作を実行する制御手段とを備えたことを特徴とするものである。
【０００８】
請求項２に係る発明は、前記時刻設定手段は当該装置の電源投入直後に実行されることを特徴とするものである。
【０００９】
請求項３に係る発明は、前記時刻とその時刻に対応した操作をネットワークを介して登録可能とするＷＥＢサーバーを実装したことを特徴とするものである。
【発明の効果】
【００１０】
本願の請求項１記載の発明によれば、ネットワークを介してＮＴＰサーバーより時刻を取得し、取得した時刻をリアルタイムクロックに設定して、このリアルタイムクロックにより計時された時刻と登録された時刻が一致した際に当該時刻に対応して登録された操作を実行するようにしたので、コストの増大を招くことなく、投写型映像表示装置に予め登録した操作を登録した時刻に正確に実行することができる。
【００１１】
請求項２記載の発明によれば、時刻設定手段は当該装置の電源投入直後に実行されるので、電池などの補助電源が搭載されておらず、電源が供給されていないときに時刻を計時できないようなものにおいても、電源投入直後に必ずＮＴＰサーバーより正確な時刻を取得してリアルタイムクロックに設定した後に、登録時刻と時刻比較が行われるため、登録された操作を登録された時刻に誤り無く正確に実行することが可能となる。
【００１２】
請求項３記載の発明によれば、時刻とその時刻に対応した操作をネットワークを介して登録可能とするＷＥＢサーバーを実装することで、ＰＣ等からネットワークを介して投写型映像表示装置に時刻とその時刻に対応した操作を容易に設定することができるようになる。
【発明を実施するための最良の形態】
【００１３】
以下、本願発明の実施形態を図面を参照して詳細に説明する。
【００１４】
図１は、本願発明に係る投写型映像表示装置を用いた投写型映像表示システムの一例の概略構成を示すシステム構成図である。
【００１５】
この投写型映像表示システムは、小型で汎用の情報処理装置として広く普及しているＰＣ（Personal Computer）１と、インターネット上にあって正確な時刻情報を提供するＮＴＰ（Network Time Protocol）サーバー２と、投写型映像表示装置としての液晶プロジェクタ３とが無線ＬＡＮ（Local Area Network）やハブ４を介してネットワーク接続されて構成されている。上記液晶プロジェクタ３には、時刻を計時するリアルタイムクロックと、上記ＰＣ１等から当該液晶プロジェクタ３に複数の時刻と各時刻に対応した操作をネットワークを介して登録可能とするＷＥＢサーバー（インターネットサーバーソフトウエア）が実装されている。
【００１６】
図２は、上記ＰＣ１の主に投写型映像表示システムに係る構成を示すブロック図である。ＰＣ１は、当該ＰＣ１全体を制御するＣＰＵ（Central Processing Unit）１１と、このＣＰＵ１１とバス１２を介して接続されたＨＤＤ（Hard Disk Drive）１３、ＲＡＭ（Random-Access Memory）１４、液晶ディスプレイ１５、ネットワーク通信部１６等から構成されている。
【００１７】
上記ＨＤＤ１３には、ＯＳ(Operating System)や各種アプリケーションソフト等のＣＰＵ１１が実行するプログラムなどが格納されている。また、上記ＲＡＭ１４は、ＣＰＵ１１のプログラム実行時の作業ＲＡＭとして用いられると共に、上記液晶ディスプレイ１５上の表示画像をキャプチャしたキャプチャデータの格納エリアとしても用いられる。また、ネットワーク通信部１６は、このＰＣ１を無線ＬＡＮやハブ４等を介してネットワークに接続してネットワーク通信を可能とするものである。
【００１８】
図３は、前記液晶プロジェクタ３の主に投写型映像表示システムに係る構成を示すブロック図である。液晶プロジェクタ３は、当該液晶プロジェクタ３全体を制御すると共に本願発明に係る各手段を後述するフローチャートで示す処理を実行することにより実現するＣＰＵ３１と、このＣＰＵ３１とバス３２を介して接続されたＲＯＭ（Read-Only Memory）３３、ＲＡＭ３４、ＵＳＢ（Universal Serial Bus）コネクタ３５、電源制御回路３６、ネットワーク通信部３７、液晶パネル３８等から構成されている。
【００１９】
上記ＲＯＭ３３には、ＣＰＵ３１が実行するプログラムやネットワーク接続に必要なＩＰアドレス情報などのネットワーク設定データ等が格納される。また、上記ＲＡＭ３４は、ＣＰＵ３１のプログラム実行時の作業ＲＡＭとして用いられると共に、前記ＰＣ１等からの画像データを描画用に格納する描画用ＲＡＭとしても用いられる。ＵＳＢコネクタ３５は、ＵＳＢメモリ等の各種周辺機器を接続可能な汎用の接続手段である。電源制御回路３６は、電源の投入／停止や装置各部への電力供給を制御するものである。ネットワーク通信部３７は、この液晶プロジェクタ３を無線ＬＡＮやハブ４等を介してネットワークに接続してネットワーク通信を可能とするものである。液晶パネル３８は、図示しない光学系に光変調素子として配置されて、前記ＲＡＭ３４の描画用ＲＡＭから読み出された画像データに基づき投写用画像が表示されるものである。
【００２０】
前述したように本実施形態の液晶プロジェクタ３にはリアルタイムクロック（図示せず）が実装されているが、リアルタイムクロックに電池などのバックアップ手段が搭載されていないか搭載されていても消耗している場合、液晶プロジェクタ３の電源がＯＦＦとなることなどでリアルタイムクロックへの電源供給がなくなると、時刻を正確に刻むことができなくなる。このため、上述のような状況となると、ＰＣ１よりＷＥＢサーバーなどを介して手動による時刻設定が必要となる。
【００２１】
そこで、本実施形態では、図４のフローチャートに示すようにリアルタイムクロックを制御することで、リアルタイムクロックに電源供給がなくなった後であっても電源投入と共に自動的に時刻設定を行うことで、予めＰＣ１よりＷＥＢサーバーなどでプロジェクタ３に登録された動作を登録された時刻に操作させることが可能となる。
【００２２】
図４は、液晶プロジェクタ３の本願発明に係る動作を示すフローチャートであり、図３に示したＣＰＵ３１により実行される。
【００２３】
液晶プロジェクタ３の電源が投入されると、はじめに時刻設定のフラグをＯＦＦとする（ステップＳ１０１）。その後、時刻設定フラグの確認を行い、ここではＯＦＦであるので、ＷＥＢ経由などで予め液晶プロジェクタ３内に設定されたＮＴＰサーバーアドレスにネットワークを介して接続して時刻取得を行う（ステップＳ１０２のＮ→ステップＳ１０３）。
【００２４】
時刻取得が正常に行われれば、取得した時刻をリアルタイムクロックに設定して時刻設定フラグをＯＮとしてから再度時刻設定フラグの確認処理に戻る（ステップＳ１０４のＹ→ステップＳ１０５→ステップＳ１０２）。なお、正常に取得できない場合は、そのまま再度時刻設定フラグの確認処理に戻る（ステップＳ１０４のＮ→ステップＳ１０２）。
【００２５】
一方、時刻設定フラグの確認処理で時刻設定フラグがＯＮの場合は、予めＰＣ１から液晶プロジェクタ３のＷＥＢサーバーを介して登録された時刻とその時刻になった際に行うアクション（例えば液晶プロジェクタ３の投写映像のＯＮ／ＯＦＦなどの操作）に基づき、現在時刻が登録された時刻になるのを待ち（ステップＳ１０６のＮループ）、同一時刻となった際にその時刻に対応して登録されたアクションを実行する（ステップＳ１０６のＹ→ステップＳ１０７→ステップＳ１０６のループ）。
【００２６】
以上のように、本実施形態によれば、コストの増大を招くことなく、液晶プロジェクタ３に予め登録した操作を登録した時刻に正確に実行することができる。また、電池などの補助電源が搭載されておらず、電源が供給されていないときに時刻を計時できないようなプロジェクタにおいても、ネットワークを介してＮＴＰサーバーより自動的に時刻取得が可能となるため、プロジェクタの電源がＯＦＦされた後であっても、電源投入直後に必ず時刻設定フラグを確認し、ＮＴＰサーバーより正確な時刻を取得してリアルタイムクロックに設定した後に、登録時刻と時刻比較を行うため、登録された操作を登録された時刻に誤り無く正確に実行することが可能となる。
【００２７】
また、複数の時刻と各時刻に対応した操作をネットワークを介して登録可能とするＷＥＢサーバーを実装することで、ＰＣ１等からネットワークを介して液晶プロジェクタ３に複数の時刻と各時刻に対応した操作を容易に設定することができる。
【００２８】
なお、上記実施形態では、投写型映像表示装置として光変調素子に液晶パネルを用いた液晶プロジェクタを示したが、他の映像光生成系を備える投写型映像表示装置においても本願発明を適用することができる。すなわち、ＤＬＰ（Digital Light Processing；テキサス・インスツルメンツ（TI）社の登録商標）方式等のプロジェクタにおいても本願発明を適用することができる。また、前面投写型の他、背面投写型映像表示装置においても本願発明を適用することができる。
【図面の簡単な説明】
【００２９】
【図１】本願発明に係る投写型映像表示装置を用いた投写型映像表示システムの一例の概略構成を示すシステム構成図。
【図２】ＰＣの主に投写型映像表示システムに係る構成を示すブロック図。
【図３】液晶プロジェクタの主に投写型映像表示システムに係る構成を示すブロック図。
【図４】上記液晶プロジェクタの本願発明に係る動作を示すフローチャート。
【符号の説明】
【００３０】
１  ＰＣ
２  ＮＴＰサーバー
３  液晶プロジェクタ
３１  ＣＰＵ
３２  バス
３３  ＲＯＭ
３４  ＲＡＭ
３５  ＵＳＢコネクタ
３６  電源制御回路
３７  ネットワーク通信部
３８  液晶パネル
４  ハブ
【図１】
2009098794.tif 000003
【図２】
2009098794.tif 000004
【図３】
2009098794.tif 000005
【図４】
2009098794.tif 000006